(57)【要約】無線通信サービス領域でのデータ放送装置及びその方法を提供する。  本発明の装置は、無線通信サービス領域内での放送データサービスの提供を制御する放送制御手段と、該放送制御手段の制御の下で、インターネットを通して放送データサービスのデータグラムを受信するインターネット接続手段と、前記放送制御手段の制御の下で、前記データグラムのデスティネーションＩＰアドレスを、放送に適する所定方式のアドレスに変換するアドレス変換手段と、前記放送制御手段の制御の下で、前記所定方式のアドレスに変換されたデータグラムを、前記所定の通信方式によって、前記無線通信サービス領域内の該当する端末機に転送する無線通信手段と、を備えることを特徴とする。
2005528054.tif 000002
【特許請求の範囲】
【請求項１】
無線通信サービス領域内でのデータ放送装置であって、
前記無線通信サービス領域内での放送データサービスの提供を制御する放送制御手段と、
前記放送制御手段の制御の下で、インターネットを通して放送データサービスのデータグラムを受信するインターネット接続手段と、
前記放送制御手段の制御の下で、前記データグラムのデスティネーションＩＰアドレスを、放送に適する所定方式のアドレスに変換するアドレス変換手段と、
前記放送制御手段の制御の下で、前記所定方式のアドレスに変換されたデータグラムを、前記所定の通信方式によって、前記無線通信サービス領域内の該当する端末機に転送する無線通信手段と、
を備えることを特徴とする無線通信サービス領域でのデータ放送装置。
【請求項２】
前記放送制御手段の制御の下で、前記所定方式のアドレスに変換されたデータグラムを格納しておき、該格納されたデータグラムを、前記所定の通信方式によって所定の周期ごとに前記無線通信手段を通して繰り返し転送するデータ格納手段をさらに備えることを特徴とする請求項１に記載の無線通信サービス領域でのデータ放送装置。
【請求項３】
非常時に放送データサービスを提供するために、前記データ放送装置に補助電源を供給する補助電源供給手段をさらに備えることを特徴とする請求項１に記載の無線通信サービス領域でのデータ放送装置。
【請求項４】
前記端末機は、インターネット放送サーバーアドレスを設定せずとも、前記無線通信サービス領域内でインターネット放送データサービスを受信し、受信したデータグラムの中で望むデータのみを選択的に表示し、該当するウェブサイトと前記受信したデータとの間にインターネット経路を構成することによって、この受信したデータの追加情報を提供することを特徴とする請求項１に記載の無線通信サービス領域でのデータ放送装置。
【請求項５】
前記端末機は、前記無線通信サービス領域内で放送データを受信するために、無線通信網を自動で検出することを特徴とする請求項１に記載の無線通信サービス領域でのデータ放送装置。
【請求項６】
前記端末機は、前記無線通信サービス領域内で、他の端末機に放送用データグラムを転送することを特徴とする請求項１に記載の無線通信サービス領域でのデータ放送装置。
【請求項７】
前記データグラムは、有／無線インターネットを通して、インターネット放送サーバーから、該当するデスティネーションＩＰアドレスを持つデータ放送装置に転送され、また、地域情報放送に際して、同一の放送データが前記データ放送装置に１度だけ転送されることを特徴とする請求項１に記載の無線通信サービス領域でのデータ放送装置。
【請求項８】
前記データグラムは、連続した放送用データグラムを継続して転送するために、ヘッダー部分に連続区分番号を有することを特徴とする請求項１に記載の無線通信サービス領域でのデータ放送装置。
【請求項９】
前記データグラムには放送制御情報が含まれており、該放送制御情報に基づいて、前記放送制御手段がデータグラムの放送を制御し、また、前記放送制御情報は、前記データ格納手段に格納され、
前記放送制御情報には、前記データグラムを格納するか否かを決定する格納命令領域、放送時刻を指示する放送時刻領域、及び放送反復回数、周期、優先順位及び大きさに関する情報を含む放送反復領域が含まれることを特徴とする請求項１に記載の無線通信サービス領域でのデータ放送装置。
【請求項１０】
デスティネーションＩＰアドレスのための所定方式のアドレスは、放送用ＩＰアドレス、マルチキャスティングＩＰアドレス、エニキャスティングＩＰアドレスのうちの一つであり、データグラムの前部に追加されるデータリンクアドレスまたはＭＡＣアドレスは、無線通信サービス領域での端末機の放送データ受信のために、放送用またはマルチキャスティング用のアドレスに設定されることを特徴とする請求項１に記載の無線通信サービス領域でのデータ放送装置。
【請求項１１】
前記インターネット接続手段は、
前記放送制御手段の制御の下で、データグラムに含まれたデスティネーションＩＰアドレス、プロトコル番号、ＵＤＰプロトコルのポート番号またはこれらの組合せによって、前記受信したデータグラムが、放送用データグラムか否かを識別することを特徴とする請求項１に記載の無線通信サービス領域でのデータ放送装置。
【請求項１２】
前記放送制御手段は、
データグラム内の放送制御情報を分析し、該放送制御情報の分析結果に基づいて、データグラムの転送を制御し、この送られてきたデータグラムを、同一のデータグラムの反復放送のために格納し、該格納されたデータグラムを、予め設定された周期及び反復回数によって複数の端末機に繰り返し放送するように制御することを特徴とする請求項１に記載の無線通信サービス領域でのデータ放送装置。
【請求項１３】
無線通信サービス領域内でのデータ放送方法であって、
ａ)インターネットを通して放送用データグラムを受信するステップと、
ｂ)前記データグラムのデスティネーションＩＰアドレスを、放送に適した所定方式のアドレスに変換するステップと、
ｃ)前記所定方式のアドレスを有する変換されたデータグラムを、所定の通信方式によって前記無線通信サービス領域内の該当する端末機に転送するステップと、
からなることを特徴とする無線通信サービス領域でのデータ放送方法。
【請求項１４】
ｄ)前記所定方式のアドレスを有する変換されたデータグラムを格納し、該格納されたデータグラムを、予め設定された時間に繰り返し転送するステップをさらに備えることを特徴とする請求項１３に記載の無線通信サービス領域でのデータ放送方法。
【請求項１５】
前記端末機は、インターネット放送サーバーアドレスを設定せずにも、前記無線通信サービス領域内でインターネット放送データサービスを受信し、受信したデータグラムの中で望むデータのみを選択的に表示し、該当するウェブサイトと前記受信したデータとの間にインターネット経路を構成することによって、この受信したデータの追加情報を提供することを特徴とする請求項１３に記載の無線通信サービス領域でのデータ放送方法。
【請求項１６】
前記端末機は、前記無線通信サービス領域内で放送データを受信するために、無線通信網を自動で検出することを特徴とする請求項１３に記載の無線通信サービス領域でのデータ放送方法。
【請求項１７】
前記端末機は、前記無線通信サービス領域内で、他の端末機に放送用データグラムを転送することを特徴とする請求項１３に記載の無線通信サービス領域でのデータ放送方法。
【請求項１８】
デスティネーションＩＰアドレスのための所定方式のアドレスは、放送用ＩＰアドレス、マルチキャスティング用ＩＰアドレス、エニキャスティング用ＩＰアドレスのうちの一つであり、前記データグラムの前部に追加されるデータリンクアドレスまたはＭＡＣアドレスは、無線通信サービス領域での端末機の放送データ受信のために、放送用またはマルチキャスティング用のアドレスに設定されることを特徴とする請求項１３に記載の無線通信サービス領域でのデータ放送方法。
【請求項１９】
前記データグラムには放送制御情報が含まれており、該放送制御情報に基づいて、前記放送制御手段がデータグラムの放送を制御し、また、前記放送制御情報は、前記データ格納手段に格納され、
前記放送制御情報には、前記データグラムを格納するか否かを決定する格納命令領域、放送時刻を指示する放送時刻領域、及び放送反復回数、周期、優先順位及び大きさに関する情報を含む放送反復領域が含まれることを特徴とする請求項１３に記載の無線通信サービス領域でのデータ放送方法。
【請求項２０】
前記データグラムは、連続した放送用データグラムを転送するために、ヘッダー部分に連続区分番号を有することを特徴とする請求項１３に記載の無線通信サービス領域でのデータ放送方法。
【請求項２１】
無線通信サービス領域内でのデータ放送方法を具現化したプログラムを記録するためのコンピュータ読み取り可能な記録媒体であって、前記プログラムは、
ａ)インターネットを通して放送用データグラムを受信する機能と、
ｂ)前記データグラムのデスティネーションＩＰアドレスを、放送に適した所定方式のアドレスに変換する機能と、
ｃ)前記所定方式のアドレスを有する変換されたデータグラムを、所定の通信方式によって前記無線通信サービス領域内の該当する端末機に転送する機能と、
を備えることを特徴とするコンピュータ読み取り可能な記録媒体。
【請求項２２】
前記プログラムは、
ｄ)前記所定方式のアドレスを有する変換されたデータグラムを格納し、該格納されたデータグラムを、予め設定された時間に繰り返し転送する機能をさらに備えることを特徴とする請求項２１に記載のコンピュータ読み取り可能な記録媒体。
【発明の詳細な説明】
【技術分野】
【０００１】
本発明は、無線放送サービス技術分野に関し、より詳細には、端末機の移動性により端末機のＩＰ(Internet Protocol)アドレスが頻繁に変更される場合に、放送サーバーのＩＰアドレス情報なしにも、インターネットを通して受信された放送データを、無線基地局などを介して無線通信サービス領域内に位置している複数の移動ＩＰ端末機に繰り返し送出する無線通信サービス領域でのデータ放送装置及びその方法に関する。
【背景技術】
【０００２】
近来、インターネット(internet)の急速な発展に伴い、情報の利用は信じられないほど増加し、所有する情報も広く公開することになった。さらに、通信技術は、利便性及び多様なインターネットサービスを提供する方向に発展されてきたし、このような通信技術の発達によって、図１に示すように、既存の無線ＬＡＮ(Wireless LAN)アクセスポイント(Access Point：ＡＰ)１２を介した無線インターネット放送サービスが可能になった。図１は、従来のデータ放送サービスシステムを例示する構成図である。図１を参照すると、無線通信端末機１３は、インターネットに接続した無線ＬＡＮアクセスポイント(ＡＰ)１２を介して、インターネット放送サーバー１１からインターネット放送データを受信する。ところが、図１のシステムでは、無線通信端末機１３に固有のＩＰアドレスが割り当てられなければならず、インターネット放送サーバー１１のような所望の放送サイトのウェブアドレスが予め設定されなければならない。しかも、インターネット放送会社が、無線通信サービス領域内で同一の放送データを繰り返し放送する場合に、このインターネット放送会社は、同一の放送データを無線ＬＡＮアクセスポイント１２に繰り返し伝送する必要があった。それ故に、図１のシステムは、非効率的なシステムとなり、多数の端末機１３がインターネット放送サーバー１１に同時に接続すると、インターネット放送サーバー１１の作業負荷が増加するという問題を抱えていた。
【０００３】
すなわち、従来のインターネット放送の場合に、使用者データグラムＴＣＰ／ＩＰ(Transmission Control Protocol/Internet Protocol)のような通信プロトコルによって、ユニキャスティング(unicasting)ＩＰアドレス及びマルチキャスティング(multicasting)ＩＰアドレスに基づいて、受信者にデータグラム(datagram)を転送するが、このマルチキャスティングデータグラムを受信するためには、受信者が、ＩＰアドレスの割り当て及びＩＧＭＰ(Internet Group Management Protocol)を用いたマルチキャスティングルータへの受信登録などの複雑な手続きを踏まなければならない。また、無線インターネット放送の受信のためには、無線ＬＡＮアクセスポイント１２にデータグラムが転送され、ＩＰアドレスが、無線ＬＡＮアクセスポイント１２の通信領域内の全ての端末機１３に割り当てられなければならない。また、データグラムの受信のためには、インターネット放送サーバー１１のＩＰアドレスが端末機に設定されなければならない。
【０００４】
一般に、インターネットでデータグラム(datagram)を転送する方法には、ユニキャスティング、マルチキャスティング及びエニキャスティング(anycasting)がある。
【０００５】
ユニキャスティング方式は、送信者(サーバー１１)と受信者(端末機１３)が１:１対応しているので、送信者(サーバー１１)から、指定された受信者(端末機１３)ＩＰアドレスにのみデータグラムを転送する。
【０００６】
マルチキャスティング方式は、特定のグループ内に属している複数の受信者(端末機１３)にデータグラムを転送する方式であって、ルータ(router)に受信者(端末機１３)のＩＰアドレスを予め登録しておき、登録された複数の受信者にデータグラムを転送する。
【０００７】
ブロードキャスティング方式は、不特定の受信者(端末機１３)にデータグラムを転送する方式である。
【０００８】
エニキャスティング方式は、ＩＰｖ６(IP version 6)に使用されるものであって、同一のサブネットアドレスを有し、かつ、最も近接した送信者に、データグラムを転送する方式である。
【０００９】
しかしながら、ブロードキャスティング方式を使用する場合には、送信機から受信機まで伝達されるデータトラヒックが全体網に拡散されるので、トラヒックの輻輳現象が起こり、通信が正常に遂行されなくなる。したがって、ブロードキャスティング方式は、データ転送には使用されず、サブネットでＩＰアドレスやＭＡＣ(Media Access Control)アドレス確認などの特殊目的にのみ使用されている。
【００１０】
しかも、マルチキャスティング方法もまた、マルチキャスティングルータにＩＧＭＰを用いて受信登録をしなければならないなどの複雑な手続きが必要とされ、また、全体網にマルチキャスティングルータが備えなければならないため、実用化には限界があった。
【００１１】
この理由から、大部分のインターネット放送は、インターネット放送サーバー１１と受信者１３が１:１対応するユニキャスティング方式を使用している。しかしながら、このユニキャスティング方式もまた、各受信者１３に固有のＩＰアドレスが割り当てられなければならず、インターネット放送サービスのデータを受信する受信者１３が、インターネット放送サーバーサイト１１のウェブアドレスを予め設定しておかなければならないため、不便だった。
【００１２】
また、ユニキャスティング方式によるインターネット放送サービスでは、複数の無線通信端末機１３が、インターネット放送サーバー１１に同時に接続するので、通信網とインターネット放送サーバー１１の作業負荷が増加する、という問題があった。
【００１３】
しかも、インターネット放送サーバー１１が、同一のデータを、無線通信サービス領域内に位置する受信者１３に繰り返し転送するときに、インターネット放送サーバー１１の作業負荷及びデータ通信トラヒックも共に増加する問題もあった。
【００１４】
近来、人口が密集している地域を中心として、無線基地局の一種である無線ＬＡＮの構築が急速に拡大しつつあり、この無線ＬＡＮを用いて、無線通信サービス領域内の使用者に有用な地域情報を効率よく提供することが可能になった。また、このような無線ＬＡＮの普及により、移動通信基地局やブルートゥース基地局などの無線基地局を用いて、使用者にインターネット放送サービスを提供することにもなった。
【００１５】
したがって、今のインターネット放送サービスシステムでは、端末機が固有のＩＰアドレスを設定する面倒な手続きなしでも、無線通信サービス領域内で放送データを自動で受信可能にすることによって、使用者の便宜性の増大及びサーバーの作業負荷の軽減を図り、かつ、同一の放送データをサーバーから連続して転送することを避けることによって、インターネット放送サーバーの作業負荷を軽減するとともに、通信トラヒックを減らす方案が切実に望まれている。
【発明の開示】
【発明が解決しようとする課題】
【００１６】
本発明は、上記事情に鑑みて、端末機が、ＩＰアドレスを設定する面倒な手続きなしでも、無線通信サービス領域内で放送データを自動で受信できるようにして、使用者の便宜性の増大及びサーバーの作業負荷の軽減が図られる、無線通信サービス領域でのデータ放送装置及びその方法を提供することを目的とする。
【００１７】
本発明の他の目的は、同一の放送データを、予め設定された周期ごとに繰り返し放送することによって、サーバーの作業負荷の軽減及び通信トラヒックの減少が図られる、無線通信サービス領域でのデータ放送装置及びその方法を提供することにある。
【課題を解決するための手段】
【００１８】
上記の目的を達成するための本発明は、無線通信サービス領域内でのデータ放送装置であって、前記無線通信サービス領域内での放送データサービスの提供を制御する放送制御手段と、該放送制御手段の制御の下で、インターネットを通して放送データサービスのデータグラムを受信するインターネット接続手段と、前記放送制御手段の制御の下で、前記データグラムのデスティネーションＩＰアドレスを、放送に適する所定方式のアドレスに変換するアドレス変換手段と、前記放送制御手段の制御の下で、前記所定方式のアドレスに変換されたデータグラムを、前記所定の通信方式によって、前記無線通信サービス領域内の該当する端末機に転送する無線通信手段と、を備える。
【００１９】
また、上記の目的を達成するための本発明は、無線通信サービス領域内でのデータ放送方法であって、ａ)インターネットを通して放送用データグラムを受信するステップと、ｂ)前記データグラムのデスティネーションＩＰアドレスを、放送に適した所定方式のアドレスに変換するステップと、ｃ)前記所定方式のアドレスを有する変換されたデータグラムを、所定の通信方式によって前記無線通信サービス領域内の該当する端末機に転送するステップと、からなることを特徴とする。
【００２０】
また、上記の目的を達成するための本発明は、無線通信サービス領域内でのデータ放送方法を具現化したプログラムを記録するためのコンピュータ読み取り可能な記録媒体であって、前記プログラムは、ａ)インターネットを通して放送用データグラムを受信する機能と、ｂ)前記データグラムのデスティネーションＩＰアドレスを、放送に適した所定方式のアドレスに変換する機能と、ｃ)前記所定方式のアドレスを有する変換されたデータグラムを、所定の通信方式によって前記無線通信サービス領域内の該当する端末機に転送する機能と、を備える。
【発明の効果】
【００２１】
本発明によれば、特定地域の使用者に有用な地域情報を効率よく提供することが可能になる。すなわち、各地域に設置された無線基地局を介して、地域別に差別化した情報を提供することが可能になる。
【００２２】
また、本発明によれば、各受信者に固有のＩＰアドレスを割り当てる必要がないため、従来のインターネット放送サービスでの問題となってきたＩＰアドレス割り当ての非効率性を除去することが可能になる。
【００２３】
また、本発明によれば、以前に放送されたデータを、予め設定された周期及び時間に繰り返し伝送するため、インターネット放送サーバーの放送データ送信効率が向上する効果が得られる。
【００２４】
また、本発明によれば、使用者が移動しながらであってもインターネットを通して放送情報を受信することが可能になる。すなわち、使用者の端末機が特定領域に進入すると、自動で放送データが受信されるようになる。
【００２５】
また、本発明によれば、インターネット放送サービスの受信者の数が増加するのにもかかわらず、インターネット放送サーバーの作業負荷を減少させることが可能になる。
【発明を実施するための最良の形態】
【００２６】
本発明の他の目的及び長所は、添付図面を参照して説明される実施形態からより明らかになる。以下、添付図面を参照しつつ、本発明の好ましい実施形態について詳細に説明する。
【００２７】
図２は、本発明の好ましい実施形態によるデータ放送サービスシステムに備えられるデータ放送装置の構成図である。
【００２８】
図２を参照すると、データ放送サービスシステムは、インターネット放送サーバー１１、無線通信端末機１３及び無線基地局に備えられるデータ放送装置２０を備える。
【００２９】
無線通信端末機１３には、使用者が持ち歩きながら無線通信しうる、ＰＤＡ(Personal Digital Assistants)、ノート型パソコン、スマートフォン、セルラーフォン、あるいはＰＣＳ電話などの無線通信端末機、ＩＭＴ−２０００(International Mobile Telecommunication)端末機またはＵＭＴＳ(Universal Mobile Telecommunication Service)端末機などの次世代無線通信端末機などがある。
【００３０】
データ放送装置２０は、無線基地局に実装され、インターネットを介してインターネット放送サーバー１１から放送データを受信し、受信した放送データを無線信号を通じて複数の端末機１３に転送する。
【００３１】
図２を参照すると、データ放送装置２０は、無線通信サービス領域内で放送サービスを制御するための放送制御部２１と、インターネットを介して放送用データグラムを受信するインターネット接続部２２と、放送制御部２１の制御の下で、データグラムデスティネーションＩＰアドレスを、放送に適した所定の通信方式のＩＰアドレスに変換するアドレス変換部２３と、放送制御部２１の制御の下で、所定の通信方式のＩＰアドレスを有するように変換されたデータグラムを、所定の通信方式によって、無線通信サービス領域内の該当する無線通信端末機１３に転送する無線通信部２５と、を備える。また、データ放送装置２０は、ブロードキャスティング、マルチキャスティング及びエニキャスティングのような所定の通信方式のＩＰアドレスに変換されたデータグラムを格納しておき、この格納されたデータグラムを、所定の通信方式によって所定の周期ごとに無線通信部２５を通じて繰り返し転送するデータ格納部２４と、非常時に、データ放送装置２０に補助電源を供給する補助電源供給部２６と、をさらに備える。
【００３２】
次に、データ放送装置２０の詳細動作について説明する。
【００３３】
まず、インターネット接続部２２は、インターネットに接続されて、インターネット放送サーバー１１から送られてくるデータグラムを受信する。
【００３４】
このインターネットプロトコル(ＩＰ)データグラム構造を図３に示す。図３に示すように、データグラムは、ＩＰアドレスとしてソースアドレス(source address)とデスティネーションＩＰアドレス(destination address)とを有する。
【００３５】
例えば、放送用データグラムを識別するために、無線ＬＡＮアクセスポイント(ＡＰ)には、固有のインターネットＩＰアドレスが割り当てられる。インターネット放送サーバー１１は、各領域の地域情報を放送するために、該当領域を制御する無線ＬＡＮアクセスポイント(ＡＰ)のＩＰアドレスを有するデータグラムを、デスティネーションＩＰアドレスとして転送し、インターネット接続部２２は、無線ＬＡＮアクセスポイント(ＡＰ)のＩＰアドレスと一致するデスティネーションＩＰアドレスを持つデータグラムを、放送用データグラムとして認識する。このときに、受信したデータグラムのデスティネーションＩＰアドレスが、放送用ＩＰアドレスでなければ、無線ＬＡＮアクセスポイント(ＡＰ)は、通常の作業を遂行する。
【００３６】
他の例として、ＵＤＰ(User Datagram Protocol)のポート番号を、事前に約束された番号に設定し、受信したデータグラムのＩＰアドレス及びポート番号を確認することによって、放送用データグラムを識別する。
【００３７】
さらに他の例として、データ放送装置２０は、ＵＤＰデータグラムのペイロードでデータ領域を分析することによって、放送データを識別する。
【００３８】
一方、アドレス変換部２３は、受信したデータグラムに含まれたデスティネーションＩＰアドレスを、無線通信による放送に適した所定タイプのアドレスに変換する。
【００３９】
その一例として、デスティネーションＩＰアドレスを、放送用ＩＰアドレス、例えば、２５５．２５５．２５５．２５５に変換したり、マルチキャスティングまたはエニキャスティング方式に適した所定タイプのアドレスに変換する。
【００４０】
他の例として、フレームヘッダーのデータリンクアドレスまたはデスティネーションの媒体アクセス制御(Media Access Control：ＭＡＣ)アドレスを、放送用またはマルチキャスティング用のアドレスに変換して、無線通信サービス領域内の全ての無線通信端末機１３が受信できるようにする。
【００４１】
さらに他の例として、無線通信端末機の各データリンクアドレスを、データ放送装置２０に格納しておき、無線通信サービス領域内の全ての端末機にそれぞれのデータリンクアドレスを通じて放送データを転送することもできる。
【００４２】
無線通信端末機１３は、該当するウェブサイトの放送サーバーのインターネットアドレスを設定しなくても、無線通信サービス領域内でインターネット放送のデータ受信が可能であり、受信したデータグラムの中で、使用者が希望するデータグラムを表示する。また、受信したデータグラムに対する追加情報は、リンク情報を用いて提供されることができ、例えば、リンクされた文字をクリックすることで、該当するウェブサイトに移動することができる。また、無線通信端末機１３には、放送データ受信のために、無線通信網を自動で識別する機能が備えられている。また、無線通信サービス領域内で、他の端末機に放送用データグラムを転送することができ、これによって、使用者は、受信した有用な情報を、相互に交換したり共有したりすることができる。
【００４３】
図４は、本発明の好ましい実施形態による放送用ＵＤＰデータグラムにおいてデータ領域を示す詳細図である。
【００４４】
図４を参照すると、データ領域は、ＵＤＰヘッダーに続いて放送制御情報を含むことができる。したがって、放送制御部２１は、この放送制御情報を読み取り、この放送制御情報に基づいて、放送用データグラムの放送を制御したり、データ格納部２４に格納させることができる。
【００４５】
放送制御情報は、データグラムを格納するか否かを決定する格納命令領域、放送時刻を指示する放送時刻領域、放送反復回数及び周期、優先順位、大きさなどを指示する放送反復領域などに関する情報を含む。
【００４６】
また、ヘッダーは、使用者認証及び保安のための追加情報領域を有することができ、この使用者認証及び保安は、両方向通信機能により遂行されることができる。
【００４７】
一方、無線通信部２５は、新規のデスティネーションＩＰアドレスを有するデータグラムを、無線基地局を通して通信網内の複数の受信端末機１３に転送する。ここで、新規のデスティネーションＩＰアドレスは、放送に適するアドレスであって、これを用いて、複数の端末機１３は、データグラムを受信することができる。また、端末機は、移動中にもデータグラム受信が可能である。
【００４８】
また、データ放送装置２０には、データ格納部２４がさらに備えられるが、このデータ格納部２４は、インターネットを通して受信したデータグラムを格納し、格納したデータグラムは、放送制御情報に基づいて、予め設定された反復回数及び周期で端末機１３に繰り返し転送される。
【００４９】
次に、本発明のデータ放送装置２０の動作について詳細に説明する。
【００５０】
インターネットに、有線または無線通信回線を介して無線ＬＡＮアクセスポイント(ＡＰ)が接続し、無線ＬＡＮアクセスポイント(ＡＰ)に備えられたデータ放送装置２０が、無線通信回線を介して、放送用データグラムを端末機１３に転送する。このときに、インターネット放送サーバー１１は、データ放送装置２０に放送用データグラムを転送する。ここで、データグラムのデスティネーションＩＰアドレスは、データ放送装置２０が搭載された無線ＬＡＮアクセスポイント(ＡＰ)のユニキャスティング用ＩＰアドレスとなるので、各無線ＬＡＮアクセスポイント(ＡＰ)ごとに識別することができる。また、変換されたデータグラムのデスティネーションＩＰアドレスには、事前に定義された放送用、マルチキャスティング用、またはエニキャスティング用のＩＰアドレスが使用されることができる。また、上位プロトコル階層であるＵＤＰプロトコルのポート番号を、事前に約束された番号で設定し転送することによって、データ放送装置２０が、受信した放送用データグラムを識別しうるようにする。
【００５１】
インターネット接続部２２は、受信したデータグラムＩＰアドレスを識別し、識別したＩＰアドレスが、無線ＬＡＮアクセスポイント(ＡＰ)に割り当てられた固有のＩＰアドレスであれば、これを放送制御部２１に転送し、そうでなければ、無線ＬＡＮアクセスポイント(ＡＰ)は通常の機能を遂行する。
【００５２】
識別したＩＰアドレスが、無線ＬＡＮアクセスポイント(ＡＰ)のアドレスであれば、放送制御部２１は、放送制御情報を確認することによって、放送周期、大きさに関するデータを格納する。放送制御部２１は、全体データグラムを、アドレス変換部２３に転送し、アドレス変換部２３は、このデータグラムのデスティネーションＩＰアドレスを、放送用、マルチキャスティング用またはエニキャスティング用のアドレスに変換し、該変換したデータグラムは、データ格納部２４に格納される。また、放送制御部２１は、データグラム放送制御情報に基づいて、データ格納部２４に格納された放送データを、無線通信部２５を通して予め設定された周期ごとに繰り返し転送する。
【００５３】
このときに、無線通信部２５は、放送データグラム及び／または無線ＬＡＮ通信のためのデータグラムを、無線通信サービス領域内で転送し、通信サービス領域内に位置する全ての端末機１３は、放送用またはマルチキャスティング用のＩＰアドレスに基づいてデータグラムを受信することになる。これを受信した端末機１３は、データグラムデスティネーションＩＰアドレスが放送用、マルチキャスティング用及びエニキャスティング用のアドレスのいずれかであるので、固有のＩＰアドレスが割り当てられない状態でデータグラムの受信が可能であり、受信したデータグラムのＵＤＰデータグラムの有無とポート番号を確認することによって、放送用データグラムを識別する。続いて、この受信したデータグラムは、端末機１３の応用プログラムに伝達して、文字を表示するか、データグラムに含まれた音響または映像データを、適宜の方式で再生する。また、予め設定された使用者選好によって、不必要な受信データをフィルタリングすることによって、望む内容の部分のみを再生することができる。
【００５４】
図５は、本発明の好ましい実施形態によって、無線通信サービス領域で放送データを伝送する方法を説明するためのフローチャートである。
【００５５】
まず、ステップ５０１で、インターネット放送サーバー１１は、放送用データグラムを構成し、このデータグラムを該当する基地局に転送する。このときに、インターネット放送サーバー１１は、ＵＤＰプロトコルとして１７プロトコルＩＤを割り当て、受信したデータグラムが放送用データグラムか否かを判断するためのポート番号を設定する。また、ＵＤＰデータグラムのペイロードの前部には、放送制御情報が含まれる。
【００５６】
ステップ５０２で、インターネットを通してインターネット放送サーバー１１からデータグラムが受信されると、ステップ５０３で、放送データ装置２０は、受信したデータグラムが、放送用データグラムであるか否かを確認する。ステップ５０２及び５０３で、受信したデータグラムは、データグラムに含まれたデスティネーションＩＰアドレス、プロトコル番号またはＵＤＰプロトコルのポート番号によって、放送用データグラムか否かが識別される。また、デスティネーションＩＰアドレス、プロトコル番号及びポート番号の組合せによっても、放送用データグラムが識別される。
【００５７】
確認の結果、受信したデータグラムが放送用データグラムであれば、ステップ５０４で、データグラムのデスティネーションＩＰアドレスが変換される。ステップ５０４で、新規のデスティネーションＩＰアドレスは、複数の端末機１３でのデータグラム受信を可能にするために、放送に適するようになっていなければならない。例えば、新規のデスティネーションＩＰアドレスは、放送用ＩＰアドレス、マルチキャスティング用ＩＰアドレス、エニキャスティング用ＩＰアドレスのうちの一つとなる。また、フレームヘッダーのデスティネーションのデータリンクアドレスまたはＭＡＣアドレスも、放送用またはマルチキャスティング用のアドレスに設定されることができる。
【００５８】
続いて、ステップ５０５で、放送制御部２１は、データグラム内の放送制御情報を分析し、このデータグラムは、ステップ５０６で、放送制御情報の分析結果に基づいて、無線通信部２５を通して通信領域内の端末機１３に転送される。ステップ５０５及び５０６で、放送制御情報の分析結果に基づいて、受信したデータグラムが格納され、該格納されたデータグラムは、放送のために予め設定された周期及び反復回数によって複数の端末機１３に繰り返し放送される。また、放送制御情報内には、インターネット放送サーバー１１を認証するための情報や課金のための情報が含まれる。
【００５９】
一方、ステップ５０７で、端末機１３は、受信したデータグラムが、放送用であるか確認する。すなわち、受信したデータグラムのＩＰアドレスが放送用であるか否か確認する。もし、受信したデータグラムのＩＰアドレスが放送用であれば、端末機１３は、受信したデータグラムがＵＤＰデータグラムであるか確認し、また、事前に放送用に設定されたポート番号であるか確認する。
【００６０】
確認の結果、受信したデータグラムが放送用であれば、ステップ５０８で、端末機１３は、受信した放送データを出力する。ステップ５０８で、端末機１３の応用プログラムを設定することによって、望む放送データ部分のみを出力することが可能である。
【００６１】
もし、受信したデータグラムが放送用でなければ、ステップ５０９で、端末機１３は、通常的な機能を遂行する。
【００６２】
図６は、本発明の一実施形態によって、データ放送装置２０を用いて地域インターネット放送サービスを提供する例を示す図であって、本発明のデータ放送装置２０を実際の道路環境に適用して地域放送サービスを提供する過程を示す。
【００６３】
図６を参照すると、交差路の信号灯に、データ放送装置を備えた無線基地局６０１を設置し、この無線基地局６０１を通して、インターネットを介して受信したデータグラムを放送することによって、停止または移動中の自動車の端末機１３についても、地域インターネット放送サービスの受信を可能にする。この地域インターネット放送には、各種の道路工事、災害、株式、天気予報などの様々な情報が含まれる。
【００６４】
インターネット放送サービスを受信した端末機１３は、データグラムのデスティネーションＩＰアドレスが、放送用、マルチキャスティング用またはエニキャスティング用のアドレスであるため、固有のＩＰアドレスが割り当てられない状態でもデータグラム受信が可能である。
【００６５】
例えば、受信したデータグラムがＵＤＰデータグラムであるか否かを確認し、また、受信したデータグラムのポート番号を確認することによって、受信したデータグラムが放送データであることを確認し、端末機１３に搭載された応用プログラムでは、受信したデータグラムに含まれた文字、音響、映像データを再生する。
【００６６】
また、所定のデータ形式と内容によって、望むデータグラムの部分のみを再生することもできる。すなわち、使用者により端末機に予め設定された応用プログラムによって、受信した放送データをフィルタリングすることによって、端末機１３は、受信した放送データの中で望むデータのみを再生するようになる。これは、望む放送信号を選択するラジオ受信機に類似している。
【００６７】
また、放送データを識別するために、異なるポート番号を使用することもできる。
【００６８】
また、データグラムのヘッダーは、端末機の表示画面を構成するための制御情報を有することもできる。
【００６９】
また、端末機１３に表示された放送データをマークアップ言語として、該当するウェブサイトにリンクされた文字ラインをクリックし、該当するウェブサイトに移動することによって、放送されたデータの追加情報を提供することもできる。すなわち、初めのうちは一方的に放送データを受信し、必要によって両方向通信方式に転換される。
【００７０】
また、データグラムの再生モードを向上させたり、端末機の表示画面を変更するために、受信した放送データを再生する応用プログラムを転送することもできる。
【００７１】
また、無線通信可能な端末機１３同士が相互に通信する場合に、受信した放送用データグラムは共有されたり、ある端末機から他の端末機に転送されたりすることができる。
【００７２】
また、連続した放送用データグラムの転送のために、データグラムのヘッダー部分に、連続区分番号が割り当てられることもできる。
【００７３】
上述したように、本発明は、無線ＬＡＮのほかに、移動通信基地局、無線ビーコン、車両用ＤＳＲＣ(Dedicated Short Range Communication)、ブルートゥース基地局などの近距離または遠距離通信のための無線通信装置及びルータ、データ交換器などの情報通信機器にも適用可能である。
【００７４】
また、上述した本発明の方法はプログラム化し、このプログラムは、CD-Rom、RAM、ROM、フロッピー（登録商標）ディスク、ハードディスク、光磁気ディスクなどのコンピュータで読み取り可能な記録媒体に格納されることができる。
【００７５】
以上で説明した本発明は、上述した具体例及び添付図面によって限定されるのではなく、本発明の技術的思想を逸脱しない範囲内で各種の置換、変形及び変更が可能であることは、本発明の属する技術分野で通常の知識を持つ者にとって明らかである。
【図面の簡単な説明】
【００７６】
【図１】従来のデータ放送サービスシステムを例示する構成図である。
【図２】本発明の好ましい実施形態によるデータ放送サービスシステムに備えられるデータ放送装置の詳細構成図である。
【図３】インターネットプロトコルの構造を示す図である。
【図４】本発明の好ましい実施形態による放送用ＩＰデータグラムのペイロードの詳細図である。
【図５】本発明の好ましい実施形態による無線通信サービス領域での放送データ伝送方法を説明するためのフローチャートである。
【図６】本発明によるデータ放送装置２０を実際の道路に適用して、地域インターネット放送サービスを提供する過程を示す図である。
【符号の説明】
【００７７】
２１  放送制御部
２２  インターネット接続部
２３  アドレス変換部
２４  データ格納部
２５  無線通信部
２６  補助電源供給部
【図１】
2005528054.tif 000003
【図２】
2005528054.tif 000004
【図３】
2005528054.tif 000005
【図４】
2005528054.tif 000006
【図５】
2005528054.tif 000007
【図６】
2005528054.tif 000008
【国際調査報告】
2005528054.tif 000009